(57)【要約】【課題】装置の安定性を維持しつつ、ダイバーシティ合成処理に適したタイミング信号を生成する。【解決手段】第１復調部２６と第２復調部４２は、受信したデータ信号をそれぞれ復調する。第１保護なしタイミング生成部２８と第２保護なしタイミング生成部４４は、データ信号から、同期ワードを検出し、検出した同期ワードのタイミングをもとに第１のフレーム同期タイミング信号を生成する。ダイバーシティ合成部４６では、第１のフレーム同期タイミング信号によって、第１復調部２６と第２復調部４２から出力されたデータ信号に対してダイバーシティ合成処理を行う。保護ありタイミング生成部１２は、第２のフレーム同期タイミング信号を生成する。第２のフレーム同期タイミング信号は、信号処理部１０を制御するためのタイミングに使用される。【選択図】        図４
2004242191.tif 000002
【特許請求の範囲】
【請求項１】
それぞれがフレーム形式にて形成された複数の信号をそれぞれ入力する入力部と、
前記入力した複数の信号から、第１のフレーム同期タイミングを生成する第１タイミング生成部と、
前記入力した複数の信号のそれぞれについて複数のフレームのタイミングを参照し、第２のフレーム同期タイミングを生成する第２タイミング生成部と、
前記入力した複数の信号を前記第１のフレーム同期タイミングで合成する合成部と、
前記合成した信号を前記第２のフレーム同期タイミングで信号処理する信号処理部と、
を含むことを特徴とする受信装置。
【請求項２】
前記合成部は、前記合成した信号を、前記第１のフレーム同期タイミングと前記第２のフレーム同期タイミングの差に相当する期間、記憶する記憶部を含むことを特徴とする請求項１に記載の受信装置。
【請求項３】
前記合成部は、前記第１のフレーム同期タイミングの生成を失敗した場合に、前記入力した複数の信号を前記第２のフレーム同期タイミングで合成することを特徴とする請求項１に記載の受信装置。
【請求項４】
それぞれがフレーム形式にて形成された複数の信号をそれぞれ入力するステップと、
前記入力した複数の信号から、第１のフレーム同期タイミングを生成するステップと、
前記入力した複数の信号のそれぞれについて複数のフレームのタイミングを参照し、第２のフレーム同期タイミングを生成するステップと、
前記入力した複数の信号を前記第１のフレーム同期タイミングで合成するステップと、
前記合成した信号を前記第２のフレーム同期タイミングで信号処理するステップと、
を含むことを特徴とする受信方法。
【発明の詳細な説明】
【０００１】
【発明の属する技術分野】
本発明は、デジタル変調された信号を受信して復調する受信技術に関する。特に、複数の信号をダイバーシティ合成する受信方法および装置に関する。
【０００２】
【従来の技術】
近年、映像や音声などの情報を伝送するために、高品質な信号の伝送や周波数利用効率の向上に優れた変調方式として、直交周波数分割多重（以下、「ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ」という）方式が検討されている。ＯＦＤＭ方式は、１チャンネルの帯域内に多数のサブキャリアを設ける変調方式で、ゴーストやマルチパスによる妨害に強く、移動体での良好な受信を可能にする。このＯＦＤＭ方式は、映像や音声などの情報化源符号化方式および多重化方式のＭＰＥＧ−２と共に、地上波デジタルテレビジョン放送方式に採用されている。地上波デジタルテレビジョン放送方式による送信装置は、映像や音声などのアナログ信号の情報をデジタル信号に変換して圧縮する符号化部と、圧縮された複数の情報を組合わせる多重化部と、伝送中に生じる誤りを訂正するための訂正符号化部と、時間インタリーブ、周波数インタリーブした後に情報を効率よく伝送するための変調部とから構成される。
【０００３】
また、送信装置は、映像や音声などの情報に加えて、現在伝送に使用されている変調方式、誤り訂正の畳み込み符号化率、時間インタリーブ長などのパラメータを特定するための伝送多重制御（以下、「ＴＭＣＣ：Ｔｒａｎｓｍｉｓｓｉｏｎ  ａｎｄ  Ｍｕｌｔｉｐｌｅｘｉｎｇ  Ｃｏｎｆｉｇｒａｔｉｏｎ  Ｃｏｎｔｒｏｌ」という）信号を挿入する。
【０００４】
地上波デジタルテレビジョン放送方式におけるデータ信号が割当てられたサブキャリアの変調には、ＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）、ＱＰＳＫ、１６ＱＡＭ（Ｑｕａｄｒａｔｕｒｅ  Ａｍｐｌｉｔｕｄｅ  Ｍｏｄｕｌａｔｉｏｎ）、６４ＱＡＭの４種類が、さらにＴＭＣＣ信号が割当てられたサブキャリアの変調には、ＤＢＰＳＫ（Ｄｉｆｆｅｒｅｎｔｉａｌ  Ｂｉｎａｒｙ  Ｐｈａｓｅ  ＳｈｉｆｔＫｅｙｉｎｇ）が使用されており、それぞれマッピングの方法が異なる（例えば、特許文献１参照。）。また、ＤＱＰＳＫは差動変調方式、その他は同期変調方式と呼ばれ、各方式において挿入されるパイロット信号の種類や配置位置が異なる。
【０００５】
ところで、移動体での受信において伝送される信号はフェージングの影響を受けるため、受信電力が大きく変動し、高品質な信号伝送の維持が困難となる。フェージングによる品質劣化を軽減する方式として、ダイバーシティ合成技術がある。この技術は、独立な複数の信号を受信し、これらを適切に用いることによりフェージング変動を軽減する。この技術は、選択合成、等利得合成、最大比合成の３種類を基本とするが、特に選択合成は、複数の受信信号のうち、最も劣化の少ない信号を選択して出力するため、回路規模が小さい。
【０００６】
【特許文献１】
特開２００１−１０３０２９号公報
【０００７】
【発明が解決しようとする課題】
ダイバーシティ合成技術においては、受信装置で生成され、かつ当該受信装置を制御するためのタイミング信号をもとに、複数の受信信号を合成できる。当該タイミング信号は、一般に受信装置やそれを含むシステムの安定性を考慮して後方保護や前方保護の処理を施して生成されている。後方保護や前方保護の処理が施されたタイミング信号は、短期間の伝搬環境の変動によって影響を受けない。そのため、現実の伝搬環境が短期間で変動する場合、受信装置を制御するためのタイミングが、複数の信号の合成に適したタイミングと相違する場合がある。その結果、受信装置を制御するタイミングでダイバーシティ合成すると受信特性が劣化する可能性がある。
【０００８】
本発明はこうした状況に鑑みなされたものであり、その目的は受信装置の安定性を保ちつつ、複数の信号の合成に適したタイミングでダイバーシティ合成するための受信方法および装置を提供することである。また、ダイバーシティ合成に適したタイミング信号を生成する受信方法および装置を提供することである。
【０００９】
【課題を解決するための手段】
本発明のある態様は受信装置である。この装置は、それぞれがフレーム形式にて形成された複数の信号をそれぞれ入力する入力部と、入力した複数の信号から、第１のフレーム同期タイミングを生成する第１タイミング生成部と、入力した複数の信号のそれぞれについて複数のフレームのタイミングを参照し、第２のフレーム同期タイミングを生成する第２タイミング生成部と、入力した複数の信号を第１のフレーム同期タイミングで合成する合成部と、合成した信号を前記第２のフレーム同期タイミングで信号処理する信号処理部とを含む。
「フレーム」には、一般に信号が複数含まれているが、ここでは、フレームに含まれる信号の個数は、ひとつであってもよいものとする。
【００１０】
合成部は、合成した信号を、第１のフレーム同期タイミングと第２のフレーム同期タイミングの差に相当する期間、記憶する記憶部を含んでもよい。合成部は、第１のフレーム同期タイミングの生成を失敗した場合に、入力した複数の信号を第２のフレーム同期タイミングで合成してもよい。
【００１１】
「合成」には、複数の信号を加算するのみでなく、複数の信号に統計的処理を施して加算したり、複数の信号のうちひとつを選択する場合も含むものとし、複数の信号に対する所定の処理であればよいものとする。
【００１２】
以上の装置により、複数の信号を合成するためのタイミングと合成した信号を処理するためのタイミングを別のタイミングとして、それぞれ対応した処理を実行するため、安定性と特性の向上が両立可能である。
【００１３】
本発明の別の態様は受信方法である。この方法は、それぞれがフレーム形式にて形成された複数の信号をそれぞれ入力するステップと、入力した複数の信号から、第１のフレーム同期タイミングを生成するステップと、入力した複数の信号のそれぞれについて複数のフレームのタイミングを参照し、第２のフレーム同期タイミングを生成するステップと、入力した複数の信号を第１のフレーム同期タイミングで合成するステップと、合成した信号を第２のフレーム同期タイミングで信号処理するステップとを含む。
【００１４】
なお、以上の構成要素の任意の組合せや、本発明の構成要素や表現を方法、装置、コンピュータプログラム、コンピュータプログラムを格納した記録媒体、データ構造などの間で相互に置換したものもまた、本発明の態様として有効である。
【００１５】
【発明の実施の形態】
本実施の形態は、地上波デジタルテレビジョン放送方式に関し、送信装置から送信すべき情報をＯＦＤＭ方式によって変調した信号が送信される。さらに送信される信号にはフレーム同期タイミング信号を生成するための同期ワードが付加される。受信装置は、送信された信号を複数のアンテナで受信し、受信した複数の信号から同期ワードをもとにフレーム同期タイミング（以下、「第１のフレーム同期タイミング」という）信号を生成し、さらに後方保護と前方保護を考慮して、最終的なフレーム同期タイミング（以下、「第２のフレーム同期タイミング」という）信号を生成する。
【００１６】
第１のフレーム同期タイミング信号には、複数の受信信号における伝搬環境の変動が反映されるため、当該タイミング信号にもとづいて複数の受信信号をダイバーシティ合成処理すれば良好な特性が得られるが、当該タイミング信号が伝搬環境の変動に従って大きく変動する可能性がある。一方、第２のフレーム同期タイミング信号は、一般に変動が少なく、安定であるため受信装置全体の制御に適している。本実施の受信装置は、ダイバーシティ合成処理による受信特性の改善とシステムの安定性を両立するために、第１のフレーム同期タイミング信号にもとづいてダイバーシティ合成処理を行い、第２のフレーム同期タイミング信号にもとづいて受信装置全体を制御する。
【００１７】
図１（ａ）−（ｄ）は、本実施の形態に係るデータ構造を示す。図１（ａ）は、時間領域における１ＯＦＤＭフレームの構成を示すが、図示の通り１ＯＦＤＭフレームは２０４ＯＦＤＭシンボルによって構成される。通常、動画像などのテレビプログラムは複数のＯＦＤＭフレームによって送信される。図１（ｂ）は、１ＯＦＤＭシンボルの構成を示す。１ＯＦＤＭシンボル中には、テレビプログラムのデータに相当する有効信号と、ガードインターバルに相当する無効信号が含まれている。有効信号の期間が高速フーリエ変換（以下、「ＦＦＴ」という）タイミングに相当する。図１（ｃ）は、図１（ｂ）の有効信号を周波数領域で示す。有効信号には、等しい周波数帯域幅のＯＦＤＭセグメントが１３個及び両端にヌル信号が配置されている。地上波デジタルテレビジョン方式では、１３ＯＦＤＭセグメントすべてに対して、ひとつの詳細な画像のテレビプログラムを割当ててもよく、また、１３ＯＦＤＭセグメントを複数に分割して、それぞれに対して異なるテレビプログラムを割当ててもよい。
【００１８】
特に、１ＯＦＤＭセグメントのみにひとつのテレビプログラムを割当て、受信装置において当該１ＯＦＤＭセグメントのみを受信するサービス形態が部分受信方式である。通常、１ＯＦＤＭセグメントにひとつのテレビプログラムを割当てる場合、中央のＯＦＤＭセグメント、すなわち図１（ｃ）のＯＦＤＭセグメント０を使用する。図１（ｄ）は、ひとつのＯＦＤＭセグメントの構成を示すが、これはＮ個のサブキャリアで構成されている。それぞれのサブキャリアに対して、データセグメントと呼ぶデータ信号のグループやパイロット信号が割当てられている。また、Ｎは、モード１では１０８、モード２では２１６、モード３では４３２とされる。
【００１９】
なお、ＯＦＤＭフレームには、フレーム同期を確立するための同期ワードが付加されており、一般に、受信装置は当該同期ワードにもとづいてフレーム同期タイミング信号を生成する。また、地上波デジタルテレビジョン方式においては、ＯＦＤＭフレームごとに同期ワードとこれを反転した反転同期ワードが繰り返し配置されているが、ここでは同期ワードと反転同期ワードを区別しない。
【００２０】
図２は、ＦＦＴ後の有効信号の構成を示す。この信号には数千のサブキャリアが含まれているが、これらのサブキャリアは、データ信号用のサブキャリアの他、ＴＭＣＣ信号用のサブキャリア、パイロット信号用のサブキャリアなどに分類される。これらのサブキャリアは、前述の通り、１３ＯＦＤＭセグメントに分割され、これら１３ＯＦＤＭセグメントは最大３階層に分割されている。データ信号用のサブキャリアは各階層ごとにＴＭＣＣ信号によって指定された変調方式で変調されており、ＴＭＣＣ信号用のサブキャリアはＤＢＰＳＫで変調されている。
【００２１】
各ＯＦＤＭフレームは、２０４ＯＦＤＭシンボルで構成されているが、さらに各ＯＦＤＭシンボルの有効信号内にデータ信号開始位置を示すパルスがあり、このパルスの位置を基準として予め定められた位置に複数のＴＭＣＣ信号が挿入されている。同一のＯＦＤＭシンボル内の複数のＴＭＣＣ信号はすべて同一の情報を有しているため、部分受信の対象となるＯＦＤＭセグメントにもＴＭＣＣ信号が含まれている。また、各ＯＦＤＭシンボル内には複数のパイロット信号も予め定められた位置に挿入されている。また、ヌル信号は周波数領域の信号の両端に挿入されている。
【００２２】
図３（ａ）−（ｂ）は、ＤＢＰＳＫ変調されたＴＭＣＣ信号のコンスタレーションを示す。ＤＢＰＳＫ変調によると、ＴＭＣＣ信号の各ビットはひとつのＯＦＤＭシンボル内の信号とそのひとつ前のＯＦＤＭシンボル内の信号の間におけるキャリアの位相差として符号化される。具体的には、「０」は０度の位相差として符号化され、「１」は１８０度の位相差として符号化される。「０」のビットを符号化する場合において、ひとつ前のＯＦＤＭシンボル内の信号のＩ軸成分が負のとき、対象とするＯＦＤＭシンボル内の信号のＩ軸成分も負となる。一方、「１」のビットを符号化する場合において、ひとつ前のＯＦＤＭシンボル内の信号のＩ軸成分が負のとき、対象とするＯＦＤＭシンボルの信号のＩ軸成分は正となる。なお、いずれの場合もＱ信号は常に「０」となる。
【００２３】
図４は、実施の形態１に係る受信装置１００の構成を示す。受信装置１００は、信号処理部１０、保護ありタイミング生成部１２を含む。信号処理部１０は、第１チューナ部１４、第１Ａ／Ｄ変換部１６、第１同期部１８、第１ＦＦＴ部２０、第１ＡＦＣ部２２、第１ＴＭＣＣ復号部２４、第１復調部２６、第１保護なしタイミング生成部２８、第２チューナ部３０、第２Ａ／Ｄ変換部３２、第２同期部３４、第２ＦＦＴ部３６、第２ＡＦＣ部３８、第２ＴＭＣＣ復号部４０、第２復調部４２、第２保護なしタイミング生成部４４、ダイバーシティ合成部４６、周波数デインタリーブ部４８、時間デインタリーブ部５０、デマッピング部５２、ビットデインタリーブ部５４、ビタビ復号部５６、バイトデインタリーブ部５８、エネルギー逆拡散部６０、ＲＳ復号部６２、ＭＰＥＧデコード部６４、Ｄ／Ａ変換部６６を含む。
【００２４】
第１チューナ部１４は、図示しない送信装置において、ＯＦＤＭ変調方式で変調されたＲＦ信号を受信し、ベースバンド信号にダウンコンバートする。ここで受信した信号は、ひとつのＯＦＤＭセグメントのみであるとする。第１Ａ／Ｄ変換部１６は、アナログ信号をデジタル信号に変換すると共に、ヒルベルト変換などを用いて実軸（以下、「Ｉ軸」という）成分の信号と、虚軸（以下、「Ｑ軸」という）成分の信号とを生成する。第１同期部１８がクロック同期やシンボル同期の同期処理を行う。また、図示しない送信装置と受信装置１００間の周波数発振器の周波数偏差に対して、サブキャリア間隔以内の狭帯域周波数同期も行う。第１ＦＦＴ部２０は、ＦＦＴによって時間軸の信号を周波数軸の信号に変換する。第１ＡＦＣ部２２は、ＦＦＴされた信号から図示しない送信装置と受信装置１００間の周波数発振器の周波数偏差に対して、サブキャリア間隔単位の広帯域周波数同期を行う。なお、受信装置１００の周波数発振器の安定度が高い場合は、ＡＦＣ２２は不要となる。
【００２５】
第１ＴＭＣＣ復号部２４は、ＴＭＣＣ信号をＤＢＰＳＫ復調し、ＴＭＣＣ信号を検出する。第１復調部２６は、第１ＦＦＴ部２０でＦＦＴされたデータ信号をＱＰＳＫ、１６ＱＡＭ、６４ＱＡＭによって復調する。
【００２６】
さらに、第１復調部２６は、パイロット信号のうちＳＰ（ＳｃａｔｔｅｒｅｄＰｉｌｏｔ）信号を用いてＳＰの分散より各サブキャリアの信頼性の高さを検出する（参考文献：「地上伝送路特性を考慮した誤り制御」、１９９８年映像情報メディア学会年次大会３−１）。ただし、ＳＰはＱＰＳＫ、１６ＱＡＭ、６４ＱＡＭの同期変調部にのみ含まれるので、信頼性情報は同期変調部だけで検出される。検出結果は後述するビタビ軟判定の重み付けに反映できるような３ビット程度の信号として出力する。パイロット信号のキャリアもデータ信号のキャリアと同様にこの信頼性検出を行う。なおＳＰは、同期変調部において、１２サブキャリアに１回、４ＯＦＤＭシンボルに１回挿入されている。第１保護なしタイミング生成部２８は、データ信号から、同期ワードを検出し、検出した同期ワードのタイミングをもとに第１のフレーム同期タイミング信号を生成する。
【００２７】
第２チューナ部３０、第２Ａ／Ｄ変換部３２、第２同期部３４、第２ＦＦＴ部３６、第２ＡＦＣ部３８、第２ＴＭＣＣ復号部４０、第２復調部４２、第２保護なしタイミング生成部４４は、それぞれ第１チューナ部１４、第１Ａ／Ｄ変換部１６、第１同期部１８、第１ＦＦＴ部２０、第１ＡＦＣ部２２、第１ＴＭＣＣ復号部２４、第１復調部２６、第１保護なしタイミング生成部２８と同一の機能を有する。
【００２８】
ダイバーシティ合成部４６では、第１復調部２６と第２復調部４２から出力されたデータ信号に対してダイバーシティ合成処理を行い、合成後のデータをパルスなどと共に出力する。ダイバーシティ合成処理において、第１保護なしタイミング生成部２８と第２保護なしタイミング生成部４４で生成された第１のフレーム同期タイミング信号が使用される。一般に、伝搬環境の相違から、これらの第１のフレーム同期タイミング信号は異なる。これらを一致させるため、いずれかの第１のフレーム同期タイミング信号を遅延させたり、また、ふたつの第１のフレーム同期タイミング信号に平均などの統計処理を行って、新たなひとつの第１のフレーム同期タイミング信号を生成する。あるいは、どちらか一方のみを使用してもよい。ダイバーシティ合成処理としては、例えば第１復調部２６や第２復調部４２で検出した信頼性情報を第１復調部２６と第２復調部４２の出力信号間で比較し、より信頼性の高い方を選択する選択合成する。
【００２９】
周波数デインタリーブ部４８は、周波数インタリーブ処理によって周波数方向に並べ替え処理されたデータ信号をもとの順序に並べ替え、時間デインタリーブ部５０は、時間インタリーブ処理によって時間方向に並べ替え処理されたデータ信号をもとの順序に並べ替える。さらに、デマッピング部５２は、各変調方式に応じたコンスタレーション上の基準点を求め、データ信号ごとに最も近い基準点を選択し、その基準点を特定する情報を生成する。
【００３０】
データ信号は、ビットデインタリーブ部５４でビットデインタリーブ処理された後、ビタビ復号部５６で軟判定ビタビ復号処理される。さらに、バイトデインタリーブ部５８でバイトデインタリーブ処理され、エネルギー逆拡散部６０でエネルギー逆拡散処理され、ＲＳ復号部６２でリードソロモン符号が復号され、ＭＰＥＧデコード部６４でＭＰＥＧ２が復号された後、Ｄ／Ａ変換部６６でアナログ信号に変換されて出力される。
【００３１】
保護ありタイミング生成部１２は、第１保護なしタイミング生成部２８と第２保護なしタイミング生成部４４で生成された第１のフレーム同期タイミング信号に対して、後方保護と前方保護を考慮して、第２のフレーム同期タイミング信号を生成する。第２のフレーム同期タイミング信号は、信号処理部１０を制御するためのタイミングに使用される。なお、第１のフレーム同期タイミング信号と第２のフレーム同期タイミング信号間の誤差を補正するために、例えば、ダイバーシティ合成部４６にバッファが配置されてもよい。
【００３２】
図５は、フレーム同期の確立の成功と失敗についての一例を示す。ここでは、説明の便宜のため、ダイバーシティ合成処理を考慮しないものとし、ダイバーシティ合成処理する場合については後述する。「フレーム番号」は、ＯＦＤＭフレームの順番を示す番号である。「同期ワード検出状態」は、図４の第１保護なしタイミング生成部２８において、受信したデータ信号からＯＦＤＭフレームに付加された同期ワードが検出できたか否かを示す。これをもとに生成されたタイミングを示す信号が、第１のフレーム同期タイミング信号である。ここでは、フレーム番号１において検出でき、フレーム番号２において検出できなかったとする。「後方保護回数」は、後方保護のために、同期ワードの検出が連続して成功した回数を示すが、その最大数を２回とし、また同期ワードの検出が失敗した場合には０回に戻している。
【００３３】
「前方保護回数」は、前方保護のために、後方保護回数が２回の状態から同期ワードの検出が連続して失敗した回数を示すが、最大数を２回とし、同期ワードの検出が成功した場合には０回に戻している。「フレーム同期確立状態」は、以上の結果を考慮して、フレーム同期が確立されているか否かを示す。「ＯＫ」は、フレーム同期が確立した状態を示し、「ＮＧ」は、フレーム同期が確立していない状態を示す。フレーム同期が確立されていない状態から確立された状態に遷移するためには、後方保護回数が２になる必要があり、すなわち、２回連続して同期ワードが検出されなければならない。一方、フレーム同期が確立された状態から確立されていない状態に遷移するためには、前方保護回数が２になる必要があり、すなわち、２回連続して同期ワードの検出を失敗しなければならない。なお、このようにして、生成されたタイミングを示す信号が第２のフレーム同期タイミング信号である。
【００３４】
図６も、フレーム同期の確立の成功と失敗についての一例を示すが、ここではダイバーシティ合成処理を考慮する。ふたつのアンテナブランチに相当する第１受信部と第２受信部における同期の状態と、それらを反映したダイバーシティ後の同期の状態を示す。さらに、「フレーム同期確立状態（保護なし）」は、後方保護や前方保護を考慮しない場合の同期の確立を示し、結果は「同期ワード検出状態」と同一となる。一方、「フレーム同期確立状態（保護あり）」は、それぞれ２回までの後方保護や前方保護を考慮した場合の同期の確立を示す。
【００３５】
ダイバーシティ後については、対応した第１受信部と第２受信部の同期確立状態が、共に「ＮＧ」の場合に、同期が確立していないことを示す「×」を記載している。一方、第１受信部と第２受信部のいずれかあるは両方において同期確立状態が、「ＯＫ」の場合に、基本的には同期が確立したことを示す「○」を記載している。なお、第１受信部と第２受信部において同期確立状態が、両方「ＯＫ」の場合は、いずれか一方のタイミングを選択するものとしている。そのため、ダイバーシティ後の「フレーム同期確立状態（保護あり）」に対応した第１受信部あるいは第２受信部の同期確立状態において、同期ワードの検出は失敗しているが、前方保護によって、同期確立状態が「ＯＫ」となった方のタイミングが選択された場合、ダイバーシティ後のデータ信号に誤りが生じる可能性があるので、「△」を記載している。「フレーム同期確立状態（保護なし）」には、データ信号に誤りが生じる可能を有した「△」がないため、ダイバーシティ合成処理による特性改善が得られる。
【００３６】
以上の構成による受信装置１００の動作は以下の通りである。ふたつのアンテナで受信されたＲＦ信号が第１チューナ部１４、第２チューナ部３０にそれぞれ入力される。第１Ａ／Ｄ変換部１６、第２Ａ／Ｄ変換部３２は、これらの信号をベースバンドのデジタル信号にそれぞれ変換し、第１ＦＦＴ部２０、第２ＦＦＴ部３６が、それぞれＦＦＴした後に、第１復調部２６、第２復調部４２が復調する。第１保護なしタイミング生成部２８、第２保護なしタイミング生成部４４は、ＦＦＴされた信号から第１のフレーム同期タイミング信号を生成し、ダイバーシティ合成部４６が、第１のフレーム同期タイミング信号をもとに、復調した信号を合成する。保護ありタイミング生成部１２は、第１のフレーム同期タイミング信号から第２のフレーム同期タイミング信号を生成する。合成された信号は、第２のフレーム同期タイミング信号をもとに周波数デインタリーブ部４８以降で処理される。
【００３７】
以上、本発明を実施の形態をもとに説明した。この実施の形態は例示であり、その各構成要素や各処理プロセスの組合せにいろいろな変形例が可能なこと、またそうした変形例も本発明の範囲にあることは当業者に理解されるところである。そうした変形例を以下挙げる。
【００３８】
本実施の形態においては、ＯＦＤＭ方式によるデータ受信を例に説明したが、変形例としてはコンスタレーション表示が可能な他の変調方式による伝送方法に本発明を用いてもよい。本変形例によれば、さまざまな伝送方法に適用可能となる。
【００３９】
本実施の形態では、デマッピング部５２によって、デマッピング処理がなされているが、これはプレデマッピング処理に変更されてもよい。プレデマッピング処理とは、時間デインタリーブ処理より前、もしくは周波数デインタリーブ処理より前にデマッピング処理を行うことであり、特開２００１−３２０３４５号公報にて提案されている。プレデマッピング処理では、通常のデマッピングデータと異なり、変調方式に対応するコンスタレーション上の基準点を示す第１のデータと、その基準点とデータとのずれの大きさを示す第２のデータとを有するプレデマッピングデータを生成する。プレデマッピングデータは時間デインタリーブ後にデマッピングデータに変換する必要があるが、デマッピングデータが基準点を示すデータ（最大６ビット）の３倍の情報量（最大１８ビット）を必要とするのに対し、プレデマッピングデータは第１のデータが最大６ビット、第２のデータは常に６ビットとなり、合計最大１２ビットで表すことができる。
【００４０】
例えば、デマッピング処理における「０００，０００，０００，０００，１０１，０１１」の１８ビットのデータは、プレデマッピング処理において「００００１０，１１０，０１１」といった１２ビットのデータで表す。本変形例では、多くのメモリを必要とする周波数デインタリーブ処理、時間デインタリーブ処理前にプレデマッピング処理によってデータのビット幅を減らすことで、メモリ使用量の削減につながる。
【００４１】
本実施の形態では、第１保護なしタイミング生成部２８、第２保護なしタイミング生成部４４で生成された第１のフレーム同期タイミング信号をもとに、ダイバーシティ合成部４６が複数の受信信号のダイバーシティ合成処理を行う。しかし、伝搬環境の影響などによって、第１保護なしタイミング生成部２８、第２保護なしタイミング生成部４４が第１のフレーム同期タイミング信号を生成できない場合に、保護ありタイミング生成部１２で生成された第２のフレーム同期タイミング信号を使用してもよい。本変形例によれば、第１のフレーム同期タイミング信号が生成されない場合でも、ダイバーシティ合成処理を可能にする。
【００４２】
【発明の効果】
本発明によれば、受信装置の安定性を考慮しつつ、複数の信号の合成に適したタイミングでダイバーシティ合成できる。また、受信装置の安定性を考慮しつつ、ダイバーシティ合成に適したタイミング信号を生成できる。
【図面の簡単な説明】
【図１】図１（ａ）−（ｄ）は、実施の形態に係るデータ構造を示す図である。
【図２】実施の形態に係るフーリエ変換後の有効信号の構成を示す図である。
【図３】図３（ａ）−（ｂ）は、ＴＭＣＣ信号のコンスタレーションを示す図である。
【図４】実施の形態に係る受信装置の構成を示す図である。
【図５】実施の形態に係るフレーム同期の確立の成功と失敗についての一例を示す図である。
【図６】実施の形態に係るフレーム同期の確立の成功と失敗についての一例を示す図である。
【符号の説明】
１０  信号処理部、  １２  保護ありタイミング生成部、  １４  第１チューナ部、  １６  第１Ａ／Ｄ変換部、  １８  第１同期部、  ２０  第１ＦＦＴ部、  ２２  第１ＡＦＣ部、  ２４  第１ＴＭＣＣ復号部、  ２６  第１復調部、２８  第１保護なしタイミング生成部、  ３０  第２チューナ部、  ３２  第２Ａ／Ｄ変換部、  ３４  第２同期部、  ３６  第２ＦＦＴ部、  ３８  第２ＡＦＣ部、  ４０  第２ＴＭＣＣ復号部、  ４２  第２復調部、  ４４  第２保護なしタイミング生成部、  ４６  ダイバーシティ合成部、  ４８  周波数デインタリーブ部、  ５０  時間デインタリーブ部、  ５２  デマッピング部、  ５４ビットデインタリーブ部、  ５６  ビタビ復号部、  ５８  バイトデインタリーブ部、  ６０  エネルギー逆拡散部、  ６２  ＲＳ復号部、  ６４  ＭＰＥＧデコード部、  ６６  Ｄ／Ａ変換部、  １００  受信装置。
【図１】
2004242191.tif 000003
【図２】
2004242191.tif 000004
【図３】
2004242191.tif 000005
【図４】
2004242191.tif 000006
【図５】
2004242191.tif 000007
【図６】
2004242191.tif 000008